(57)【要約】【課題】  パイプ状の装飾部材をフード部の下端に容易に取り付けることでき、製造上の作業性を向上させると共に、容易に取り付けた後であっても装飾部材が脱落し難いレンジフードおよびその製造方法を提供する。【解決手段】  複数の係合片１２と複数の係合爪１３を有する下端部１１が円弧形を含むフード部１０と、下端部と略同じ形を有し、複数の係合片と複数の係合爪に適合する複数のスリット２１を有し、下端部に取り付けられるパイプ状の装飾部材２０と、を備え、係合片は、スリットに嵌合し、係合爪は、スリットに嵌合すると共に、装飾部材の内面に掛り合うレンジフード１００。【選択図】  図６
2018035998.tif 000002
【特許請求の範囲】
【請求項１】
複数の係合片と複数の係合爪を有する下端部が略円弧形を含むフード部と、
前記下端部と略同じ形を有し、前記複数の係合片と前記複数の係合爪に適合する複数のスリットを有し、前記下端部に取り付けられるパイプ状の装飾部材と、
を備え、
前記係合片は、前記スリットに嵌合し、前記係合爪は、前記スリットに嵌合すると共に、前記装飾部材の内面に掛り合う、
レンジフード。
【請求項２】
複数の係合爪と最も端に少なくとも１つの回り止め係合部を有する下端部が略円弧形を含むフード部と、
弾性を有し、前記下端部と略同じ形を有し、前記複数の係合爪に適合するスリットと前記回り止め係合部に適合する回り止め被係合部を有し、前記下端部に取り付けられるパイプ状の装飾部材と、
を備え、
前記回り止め係合部は、前記回り止め被係合部に嵌合し、前記係合爪は、前記スリットと嵌合すると共に、前記装飾部材の内面に掛り合う、
レンジフード。
【請求項３】
前記装飾部材は弾性を有し、最も端に設けられた一の前記スリットより中央寄りに設けられた前記スリットに適合する前記係合片の高さは、最も端に設けられた他の前記スリットより中央寄りに設けられた前記スリットに適合する前記係合片の高さと異なることを特徴とする請求項１または２に記載のレンジフード。
【請求項４】
前記係合片は、前記係合爪の間に設けられたことを特徴とする請求項１乃至３に記載のレンジフード。
【請求項５】
前記下端部は、両端部に略直線形を、前記両端部の間に略円弧形を含み、前記回り止め係合部は、前記両端部に設けられることを特徴とする請求項２に記載のレンジフード。
【請求項６】
複数の係合爪と複数の係合片と最も端に少なくとも１つの回り止め係合部とを有する下端部が略円弧形を含むフード部と、弾性を有し、前記下端部と略同じ形を有し、前記複数の係合片と前記複数の係合爪に適合する複数のスリットと前記回り止め係合部に適合する回り止め被係合部を有し、前記下端部に取り付けられるパイプ状の装飾部材と、を備えるレンジフードの製造方法であって、
１つの前記回り止め係合部の隣の前記係合爪または前記係合片に、適合する前記スリットを嵌め、
嵌めた前記係合爪または前記係合片のさらに隣の前記係合爪または前記係合片に、適合する前記スリットを順次嵌めて行き、
すべての前記係合爪を前記スリットに嵌めた後、前記係合爪が前記装飾部材の内面に掛り合うように前記装飾部材を摺動させ、
前記装飾部材の端部を持ち上げて、前記回り止め係合部を前記回り止め被係合部に嵌め、
前記フード部の前記下端部に前記装飾部材を取り付けるレンジフードの製造方法。
【請求項７】
前記回り止め係合部は凸状であり、前記回り止め被係合部は穴であり、
前記回り止め係合部を前記回り止め被係合部に嵌めた後、前記装飾部材の内側から前記回り止め係合部の先端部を折り曲げることを特徴とする請求項６に記載の製造方法。
【発明の詳細な説明】
【技術分野】
【０００１】
本発明は、レンジフードおよびレンジフードの製造方法に関する。
【背景技術】
【０００２】
従来から、レンジフードのフード部の下端に、意匠性向上を目的としたパイプ状の装飾部材を取り付けることがある（例えば、特許文献１）。かかるレンジフードでは、装飾部材は、溶接やネジ止めによりフード部の下端に固定され、取り付けられていた。
【先行技術文献】
【特許文献】
【０００３】
【特許文献１】特開２００２−３１０４７７号公報
【発明の概要】
【発明が解決しようとする課題】
【０００４】
しかしながら、このような装飾部材を溶接やネジ止めにより取り付ける場合、複数個所を溶接したりネジ止めしなければならず、作業に時間がかかるため作業性が悪かった。
そこで、本発明は、パイプ状の装飾部材をフード部の下端に容易に取り付けることでき、製造上の作業性を向上させると共に、容易に取り付けた後であっても装飾部材が脱落し難いレンジフードおよびその製造方法を提供する。
【課題を解決するための手段】
【０００５】
上記課題を解決するために、複数の係合片と複数の係合爪を有する下端部が概ね円弧形を含むフード部と、下端部と概ね同じ形を有し、複数の係合片と複数の係合爪に適合する複数のスリットを有し、下端部に取り付けられるパイプ状の装飾部材と、を備え、係合片は、スリットに嵌合し、係合爪は、スリットに嵌合すると共に、装飾部材の内面に掛り合うレンジフードが提供される。
これによれば、装飾部材のスリットに嵌合するのみで装飾部材と掛り合わない係合片を、掛り合う係合爪と共に設けることで、装飾部材が下端部との位置がずれてからはみ出すことなく、パイプ状の装飾部材をフード部の下端部に摩擦少なく容易に取り付けることでき、製造上の作業性を向上させるレンジフードを提供することができる。
【０００６】
上記課題を解決するために、複数の係合爪と最も端に少なくとも１つの回り止め係合部を有する下端部が概ね円弧形を含むフード部と、弾性を有し、下端部と概ね同じ形を有し、複数の係合爪に適合するスリットと回り止め係合部に適合する回り止め被係合部を有し、下端部に取り付けられるパイプ状の装飾部材と、を備え、回り止め係合部は、回り止め被係合部に嵌合し、係合爪は、スリットと嵌合すると共に、装飾部材の内面に掛り合う、レンジフードが提供される。
これによれば、回り止め係合部が回り止め被係合部に嵌合することで、装飾部材が下端部に対してずれ動くことがなく、パイプ状の装飾部材がフード部の下端部から脱落し難いレンジフードを提供することができる。
【０００７】
さらに、装飾部材は弾性を有し、最も端に設けられた一のスリットより中央寄りに設けられたスリットに適合する係合片の高さは、最も端に設けられた他のスリットより中央寄りに設けられたスリットに適合する係合片の高さと異なることを特徴としてもよい。
これによれば、装飾部材の端部に近く高さの高い係合片の方から、高さの低い係合片の方へ順次嵌合させていくことで、不用意に篏合が外れることを防止できるため装飾部材を下端部に容易に取り付けることでき、製造上の作業性を向上させることができる。
【０００８】
さらに、係合片は、係合爪の間に設けられたことを特徴としてもよい。
これによれば、係合片が係合爪の間に設けられることで、装飾部材が下端部からはみ出すことなく、装飾部材を下端部に容易に取り付けることできる。
【０００９】
さらに、下端部は、両端部に概ね直線形を、両端部の間に概ね円弧形を含み、回り止め係合部は、両端部に設けられることを特徴としてもよい。
これによれば、下端部が直線形のみ、または円弧形のみからなる場合、装飾部材をスライドさせる時には回り止め係合部が設けられた端の部分を持ち上げながらスライドさせる必要があるが、円弧形の端から接線方向に延びる直線形の両端部があることで、下端部の直線形の部分と装飾部材の直線形の部分とがずれるため持ち上げる必要がなくなる。そのため、下端部に装飾部材を取り付ける際、円弧形の部分に設けられたスリットに適合する係合爪を嵌めて装飾部材をスライドさせ、その後装飾部材の端部を持ち上げて直線形の部分に設けられた回り止め被係合部に回り止め係合部を嵌めれば良いから、装飾部材を下端部に容易に取り付けることができる。
【００１０】
上記課題を解決するために、複数の係合爪と複数の係合片と最も端に少なくとも１つの回り止め係合部とを有する下端部が概ね円弧形を含むフード部と、弾性を有し、下端部と概ね同じ形を有し、複数の係合片と複数の係合爪に適合する複数のスリットと回り止め係合部に適合する回り止め被係合部を有し、下端部に取り付けられるパイプ状の装飾部材と、を備えるレンジフードの製造方法であって、１つの回り止め係合部の隣の係合爪または係合片に、適合するスリットを嵌め、嵌めた係合爪または係合片のさらに隣の係合爪または係合片に、適合するスリットを順次嵌めて行き、すべての係合爪をスリットに嵌めた後、係合爪が装飾部材の内面に掛り合うように装飾部材を摺動させ、装飾部材の端部を持ち上げて、回り止め係合部を回り止め被係合部に嵌め、フード部の下端部に装飾部材を取り付けるレンジフードの製造方法が提供される。
これによれば、係合爪をスリットに嵌め、装飾部材の内面に掛り合うように装飾部材を摺動させて、装飾部材の端部を持ち上げて、最も端に設けられた回り止め係合部を回り止め被係合部に嵌めることで、装飾部材が下端部からはみ出すことなく、パイプ状の装飾部材をフード部の下端部に摩擦少なく容易に取り付けることでき、製造上の作業性を向上させると共に、取り付けた後は装飾部材が下端部に対してずれ動くことがなく、装飾部材が脱落し難いレンジフードの製造方法を提供することができる。
【００１１】
さらに、回り止め係合部は凸状であり、回り止め被係合部は穴であり、回り止め係合部を回り止め被係合部に嵌めた後、装飾部材の内側から回り止め係合部の先端部を折り曲げることを特徴としてもよい。
これによれば、回り止め係合部を回り止め被係合部に嵌めた後、装飾部材の内側から回り止め係合部の先端部を折り曲げることで、装飾部材が抜け落ちにくくなり、ねじ止めやリベット等をする必要がないため、安価に抜け止めをすることができる。
【発明の効果】
【００１２】
以上説明したように、本発明によれば、パイプ状の装飾部材をフード部の下端に容易に取り付けることでき、製造上の作業性を向上させると共に、容易に取り付けた後装飾部材が脱落し難いレンジフードおよびその製造方法を提供することができる。
【図面の簡単な説明】
【００１３】
【図１】本発明に係る第一実施例のレンジフードの、（Ａ）正面図、（Ｂ）平面図、（Ｃ）底面図、（Ｄ）背面図、（Ｅ）右側面図。
【図２】本発明に係る第一実施例のレンジフードの、（Ａ）右上から見た斜視図、（Ｂ）右下から見た斜視図。
【図３】本発明に係る第一実施例のレンジフードの、図１に示されたＡ−Ａ断面における断面図。
【図４】本発明に係る第一実施例のレンジフードの、図１に示されたＢ−Ｂ断面における断面図。
【図５】本発明に係る第一実施例のレンジフードの、（Ａ）図３に示された点線の円形で示された領域の部分拡大断面図、（Ｂ）図４に示された点線の円形で示された領域の部分拡大断面図。
【図６】本発明に係る第一実施例のレンジフードの、（Ａ）右上から見た斜視図、（Ｂ）同図においてフード部と装飾部材を分けて描いた斜視図。
【図７】本発明に係る第一実施例のレンジフードのフード部の、（Ａ）右手前から見た斜視図、（Ｂ）同図において下端部を拡大した拡大斜視図。
【図８】本発明に係る第一実施例のレンジフードの装飾部材の、（Ａ）正面図、（Ｂ）平面図、（Ｃ）底面図、（Ｄ）背面図、（Ｅ）右側面図、（Ｆ）（Ａ）に示されたＣ−Ｃ断面における断面図、（Ｇ）（Ｆ）に示された点線の円形で示された領域の部分拡大断面図。
【図９】本発明に係る第一実施例のレンジフードのダクトカバーの、（Ａ）正面図、（Ｂ）平面図、（Ｃ）底面図、（Ｄ）右側面図、（Ｅ）左側面図、（Ｆ）右上から見た斜視図。
【図１０】本発明に係る第一実施例のレンジフードの、（Ａ）帯部の平面図、（Ｂ）帯部を取り付ける前のフード部の右後方から見た斜視図。
【図１１】本発明に係る第一実施例のレンジフードのフード部に装飾部材を取り付ける方法を示す説明図であって、（Ａ）フード部に装飾部材を取り付ける前の状態を示す説明図、（Ｂ）フード部の係合片および係合爪に装飾部材のスリットを差し込んで、矢印方向へ装飾部材をずらそうとしている状態を示す説明図、（Ｃ）装飾部材をずらした後、装飾部材の端部を持ち上げて、回り止め係合部に回り止め被係合部を差し込もうとしている状態を示す説明図、（Ｄ）回り止め係合部に回り止め被係合部を差し込み、フード部に装飾部材を取り付けた状態を示す説明図。
【図１２】本発明に係る第一実施例のレンジフードのフード部に装飾部材を取り付ける方法を示す説明図であって、（Ａ）図１１（Ｂ）に示したフード部の係合片および係合爪に装飾部材のスリットを差し込んだ状態を示す説明図、（Ｂ）図１１（Ｃ）に示した装飾部材をずらした後の状態を示す説明図。
【図１３】本発明に係る第一実施例のレンジフードのフード部に装飾部材を取り付ける方法を示す説明図であって、（Ａ）図１１（Ｃ）に示した、装飾部材の端部を持ち上げて、回り止め係合部に回り止め被係合部を差し込もうとしている状態を示す説明図、（Ｂ）図１１（Ｄ）に示した回り止め係合部に回り止め被係合部を差し込んだ状態を示す説明図、（Ｃ）回り止め係合部に回り止め被係合部を差し込んだ後、回り止め係合部の先端部を折り曲げた状態を示す説明図（その１）、（Ｄ）回り止め係合部に回り止め被係合部を差し込んだ後、回り止め係合部の先端部を折り曲げた状態を示す説明図（その２）。
【発明を実施するための形態】
【００１４】
以下では、図面を参照しながら、本発明に係る実施例について説明する。
＜第一実施例＞
図１乃至図４を参照し、本実施例におけるレンジフード１００を説明する。レンジフード１００は、レンジフード１００の下方に配置される調理器等から上昇する油煙等を含む空気を捕集して、ダクトＤＵを経由して家屋の外に排気するための装置である。レンジフード１００は、空気を吸引する開口部１６を有するフード部１０と、フード部１０の下端部１１に取り付けられるパイプ状の装飾部材２０と、フード部１０の上に設けられ、ダクトＤＵを覆うダクトカバー３０と、フード部１０の内部に設けられたファンケース４０と、ファンケース４０の下方に設けられ、フード部１０の下端部１１が捕集した空気を風路４４を経由してファンケース４０に導く内面パネル５０と、ダクトカバー３０とフード部１０の繋ぎ目３１を覆う帯部６０とを備える。
【００１５】
フード部１０は、平板の背面板１８が設けられた背面側を除き概ね円錐台の外形を有する。フード部１０の表面外形は、より厳密には、正面側に半円の概ね円弧形ＣＬを有する円錐台の側面の曲面と、背面側の両側に円弧形ＣＬから背面板１８まで延在するように設けられた直線形ＳＴを有する平面から構成される。フード部１０は、開口部１６を形成する下端部１１において最も大きな半径の円弧形ＣＬを有し、ダクトカバー３０に最も近接する上端部１１１において最も小さな半径の円弧形ＣＬを有する。なお、フード部の形状はこれに限らず、例えば深型と呼ばれる四角い箱型のフード形状であっても良い。
【００１６】
すなわち、フード部１０は、下端部１１において最も小さな曲率の円弧形ＣＬを有し、上端部１１１において最も大きな曲率の円弧形ＣＬを有する。これらの半径／曲率は、上端部１１１と下端部１１の間で直線的に変化する。このようなフード部１０においては、レンジフード１００が設置された場合、水平面により切断したフード部１０の切断面形状は、正面側に概ね円弧形ＣＬのフード部湾曲部１７（第２湾曲部）を含む。かかるフード部湾曲部１７は、後述するダクトカバー３０のダクトカバー湾曲部３２の曲率より小さい曲率を有すると共に、フード部１０の上端部１１１にから開口部１６に向けて小さくなる曲率を有する。
【００１７】
図６及び図７も参照し、フード部１０を詳述する。フード部１０は、概ね円錐台の側面の展開形の両側に矩形の両端部１５を延在させた外形を有する平板をプレス加工またはレーザー加工により、正面側を概ね円弧形ＣＬのフード部湾曲部１７を有する円錐台形に、両端部１５に矩形平面を延在させた形状に形成される。設置された場合、本実施例では、正面側の上端部１１１は、多少高さが高くなるように形成されているが、フード部１０の上端部１１１は全体としてはほぼ水平になる。フード部１０の下端部１１は、全体として正面側がやや高くなるように形成される。下端部１１は、正面側にほぼ半円の円弧形ＣＬとその両側すなわち背面側の両端部１５に直線形ＳＴを有する。すなわち、下端部１１は、両端部１５に直線形ＳＴを、両端部１５の間に概ね円弧形ＣＬを有する。
【００１８】
下端部１１は、後述する装飾部材２０を取り付けるための係合片１２、係合爪１３、回り止め係合部１４を有する。装飾部材２０を取り付けるためには係合片１２を設けた方が作業性が良いが、係合爪１３と回り止め係合部１４のみであっても取り付けることが出来る。回り止め係合部１４は、直線形ＳＴの両端部１５の最も背面側である端に一つずつ設けられ、後述する装飾部材２０の回り止め被係合部２２である穴と嵌合する。回り止め係合部１４は、下端部１１から凸状に延在した矩形の平板であるが、これに限定されず、回り止め被係合部２２と嵌合する限りいかなる形状であっても良く、例えば係合爪１３と同様の形状であっても良い。
【００１９】
係合片１２と係合爪１３は、円弧形ＣＬを有する下端部１１に複数適宜設けられる。あまり多くの係合片１２や係合爪１３があっても作業性が悪くなるし、少なくても下端部１１と装飾部材２０の間に隙間が生じやすくなる。本実施例では、係合片１２と係合爪１３は、互いに交互に設けられているが、これに限定されず、係合片１２は、係合爪１３の間に設けられても良い。係合片１２が係合爪１３の間に設けられることで、装飾部材２０が下端部１１からはみ出すことなく、装飾部材２０を下端部１１に容易に取り付けることできる。係合片１２は、装飾部材２０のスリット２１に嵌合し、互いに係合する。係合片１２は、下端部１１から延在した矩形の平板であるが、これに限定されず、スリット２１と嵌合し、嵌合しながらある程度摺動できるいかなる形状であっても良い。
【００２０】
係合爪１３は、スリット２１に嵌合すると共に、パイプ状の装飾部材２０の内面に掛り合う爪部１３１を有する。係合爪１３は、下端部１１から延在し、先端に爪部１３１を有する平板である。このように、装飾部材２０のスリット２１に嵌合するのみで装飾部材２０と掛り合わない係合片１２を、掛り合う係合爪１３と共に設けることで、装飾部材２０が下端部１１との位置がずれて下端部１１からはみ出すことなく、パイプ状の装飾部材２０をフード部１０の下端部１１に摩擦少なく容易に取り付けることでき、製造上の作業性を向上させるレンジフード１００を提供することができる。
【００２１】
さらに、図８も参照し、装飾部材２０を詳述する。装飾部材２０は、フード部１０の下端部１１に取り付けられる中空のパイプ状の部材であり、下端部１１の外形とほぼ同じ形を有する。すなわち、装飾部材２０は、フード部１０の両端部１５に対応した部分が直線形ＳＴを、両端部１５に対応した部分の間に概ね円弧形ＣＬを有する。また、装飾部材２０は、係合片１２と係合爪１３の位置に適合し、それらが嵌合するように複数のスリット状の穴であるスリット２１を有する。
【００２２】
スリット２１は、平面視で真上に向けて開けられておらず、フード部１０の傾斜に適合すると共に、設置された際に通常の視線となる斜め下方向または水平方向からスリット２１が見えないように、また、フード部１０とパイプ状の装飾部材２０との間に生じる隙間やフード部１０の端面が見えないように、真上からわずかに内側に傾いて開けられている。このような構成にすることで、パイプ状の装飾部材２０がフード部１０に対して、パイプ状の装飾部材２０の上部側で接触した状態で取り付けられることから、フード部１０とパイプ状の装飾部材２０との間に溝が生じにくく、溝に溜まった汚れを除去する手間が省けるため、清掃性が良いという効果もある。すなわち、パイプ状の装飾部材２０がなんらかの方法により、装飾部材２０の側部側でフード部１０の下端に取り付けられる場合には、フード部１０とパイプ状の装飾部材２０との間に溝が生じるが、本実施例のようにパイプ状の装飾部材２０がその上部側でフード部１０の下端に取り付けられる場合には、そのような溝が生じることがない、または溝を小さくすることができるため、清掃性を向上させることができる。スリット２１のスリット幅は、係合片１２および係合爪１３が嵌合するようにそれら板厚よりわずかに大きい程度である。係合片１２が嵌合するスリット２１のスリット長さは、矩形の係合片１２の長さよりずれ幅分だけ長く、また、係合爪１３が嵌合するスリット２１のスリット長さは、爪部１３１が嵌合するように爪部１３１の長さよりわずかに大きい程度である。
【００２３】
また、装飾部材２０は、背面板１８に最も近い端に回り止め係合部１４の位置に適合し、嵌合するようにスリット状の回り止め被係合部２２を両端部１５に対応する位置に有する。回り止め被係合部２２のスリット幅は、回り止め係合部１４が嵌合するようにその板厚よりわずかに大きい程度であり、スリット長さは、回り止め係合部１４が回り止め被係合部２２に嵌合するとずれないように矩形の回り止め係合部１４の長さとほぼ同じである。装飾部材２０は、弾性のある部材からなり、通常板厚が１ｍｍ以下のステンレスなどの金属からなるパイプから構成されるがこれに限定されるものではない。このように、回り止め係合部１４が回り止め被係合部２２に嵌合することで、装飾部材２０が下端部１１に対してずれ動くことがなく、パイプ状の装飾部材２０がフード部１０の下端部１１から脱落し難いレンジフード１００を提供することができる。
【００２４】
また、下端部１１が直線形のみ、または円弧形のみからなる場合、装飾部材２０をスライドさせる時には回り止め係合部１４が設けられた端の部分を持ち上げながらスライドさせる必要があるが、円弧形ＣＬの端から接線方向に延びる直線形ＳＴの両端部１５に対応した部分があることで、下端部１１の直線形ＳＴの部分と装飾部材２０の直線形ＳＴの部分とが横にずれるため、持ち上げる必要がなくなる。そのため、下端部１１に装飾部材２０を取り付ける際、円弧形ＣＬの部分に設けられたスリット２１に適合する係合爪１３を嵌めて装飾部材２０をスライドさせ、その後装飾部材２０の端部を持ち上げて回り止め被係合部２２に直線形ＳＴの部分に設けられた回り止め係合部１４を嵌めれば良いから、装飾部材２０を下端部１１に容易に取り付けることができる。
【００２５】
図９も参照し、ダクトカバー３０を詳述する。ダクトカバー３０は、フード部１０の上に設けられ、ダクトＤＵを覆う。ダクトカバー３０の下部は、フード部１０の上端部１１１の内側に嵌り込み、正面側にほぼ半円の円弧形ＣＬのダクトカバー湾曲部３２とその両側すなわち背面側の近傍は直線形ＳＴを有する。すなわち、レンジフード１００が設置された場合、水平面により切断したダクトカバー３０の切断面形状は、正面側に概ね円弧形ＣＬのダクトカバー湾曲部３２（第１湾曲部）を含む。ダクトカバー湾曲部３２の曲率は、下から上まで同じ曲率であり、ほぼ円筒形をなす。ダクトカバー湾曲部３２は、フード部１０のフード部湾曲部１７の曲率よりも大きな曲率を有している。
【００２６】
本実施例では、ダクトカバー３０の下部がフード部１０の上端部１１１の内側に嵌り込んでいるので、外見におけるダクトカバー３０とフード部１０の繋ぎ目３１は、フード部１０の上端部１１１に一致する。但し、外見におけるダクトカバー３０とフード部１０の繋ぎ目３１は、ダクトカバー３０の下部がフード部１０の上端部１１１の外側に当接している場合には、ダクトカバー３０の下端に一致する。ダクトカバー３０は、正面側においてほぼ円筒形をなしているので、繋ぎ目３１の近傍においてもダクトカバー湾曲部３２を有する。
【００２７】
ファンケース４０は、フード部１０の内部に設けられ、フード部１０の開口部１６から吸込み、ダクトＤＵへ排気する空気の流れを生じさせる装置である。本実施例では、フード部１０の内部に設けられるが、これに限定されず、たとえば、フード部１０の上方のダクトＤＵ近くに設けられてもよい。ファンケース４０は、内部に、空気の流れを生じさせるファン４１と、ファン４１を回転駆動するファンモータ４２と、風路４４に面し空気を吸い込む開口４５と、空気をダクトＤＵに排気するダクト接続部４３とを備える。ファン４１は、本実施例では、静圧の高いシロッコファンであるが、これに限定されず、例えば軸流ファンであってもよい。
【００２８】
内面パネル５０は、フード部１０の開口部１６が捕集した空気を中央部の開口である風路４４を経由してファンケース４０に導く。内面パネル５０の下方には、空気の流れの流速をフード部１０下端の装飾部材２０付近で高めることにより捕集効率を高める整流板５１が設けられ、また、内面パネル５０の正面側表面には、レンジフード１００をオンオフするなどのスイッチ５２が設けられる。
【００２９】
図５および図１０も参照し、帯部６０を詳述する。帯部６０は、ダクトカバー３０とフード部１０の繋ぎ目３１を覆うための帯状すなわち細長い部材である。本実施例では、帯部６０の端部６１の幅ＷＥは、中央部６２の幅ＷＣより広い。端部６１の上部には折り曲げてフード部１０の上部に取り付けるための取付部６３、および端部６１の側部には折り曲げてフード部１０の背面に取り付けるための背面取付部６３１を備える。帯部６０は、フード部１０に使用される板厚よりも薄い等によりフード部１０に比して柔らかい、すなわちフード部１０より剛性が小さい部材から作製される。たとえば、帯部６０は、板厚０．３〜０．８ｍｍのステンレス製の平板からプレス加工またはレーザー加工により抜いて作製される。
【００３０】
帯部６０の上端６４は、ダクトカバー３０の円弧形ＣＬを有するダクトカバー湾曲部３２や直線形ＳＴを有する背面側の部分に当接し、隙間がないことが好ましい。帯部６０の下端６５は、フード部１０の円弧形ＣＬを有するフード部湾曲部１７および直線形ＳＴを有する両端部１５に押し付けられて密着しており、下端６５とフード部１０との間には隙間がない状態で、柔らかい帯部６０はフード部１０に巻きつけるようにして取り付けられる。
【００３１】
このように、帯部６０をフード部１０に取り付けることで、取り付けられた状態において、帯部６０の端部６１と中央部６２の角度は以下のような特徴を有する。すなわち、帯部６０の周縁方向における端部６１と鉛直面（たとえば、図１におけるＢ−Ｂ断面）が交わる第１交線（たとえば、Ｂ−Ｂ断面との第１交線Ｌ１を図２に示す）と鉛直方向とがなす第１角度Ａ１は、帯部６０の中央部６２と鉛直面（たとえば、図１におけるＡ−Ａ断面）が交わる第２交線（たとえば、Ａ−Ａ断面との第２交線Ｌ２を図２に示す）と鉛直方向とがなす第２角度Ａ２より大きい。
【００３２】
このような特徴を有することで、柔らかく剛性の小さい帯状の化粧部材である帯部６０の端部６１が水平方向に広げられた状態でフード部１０に取り付けられることで、逆に帯部６０の中央部６２が立ち上り（鉛直方向に近くなり）、すなわち、帯部６０がフード部１０に第１角度Ａ１が第２角度Ａ２より大きい状態で取り付けられることで、帯部６０の下端６５がフード部１０に押し付けられて密着した状態となり、隙間が生じ難い意匠性の高いレンジフード１００を提供することができる。
【００３３】
また、帯部６０は、安価な平板の金属板を用いることができるので、耐火性能を求められるため部品の多くを金属で製作する必要があるレンジフードにおいても、帯部６０を絞り加工用の高額な金型なしで製作でき、金型作製費用等のコストのかからない装飾を施したレンジフード１００を提供することができる。また、帯部６０の端部６１の幅ＷＥが、中央部６２の幅ＷＣより広いことで、端部６１に力を掛けやすくなり、端部６１を広げられた状態にすることが容易となると共に、帯部６０の下端６５における端部６１から中央部６２までの長さが長くなることで、第１角度Ａ１から第２角度Ａ２になる単位長さ当たりの変化量が小さくなるため（第１角度Ａ１から第２角度Ａ２に、より緩やかに徐々に変わるため）、隙間がより生じ難くなる。
【００３４】
図１１乃至図１３を参照し、フード部１０に装飾部材２０を取り付ける方法について説明する。図１１（Ａ）は、フード部１０の下端部１１に装飾部材２０を取り付ける前の状態を示す。この状態から、底面視左側の回り止め係合部１４の隣の係合片１２に、装飾部材２０のスリット２１の内位置が適合するスリット２１を嵌める。なお、係合爪１３が回り止め係合部１４の隣にある場合は、その係合爪１３に、装飾部材２０のスリット２１の内位置が適合するスリット２１を嵌める。そして、嵌めた係合爪１３または係合片１２のさらに底面視右隣の係合爪１３または係合片１２に、適合するスリット２１を順次嵌めて行き、底面視最も右にある、右側の回り止め係合部１４の隣の係合片１２に、装飾部材２０のスリット２１の内位置が適合するスリット２１を嵌める。
【００３５】
なお、装飾部材２０が弾性を有する場合、底面視左側の最も端に設けられたスリット２１より正面側の中央寄りに設けられたスリット２１に適合する係合片１２の高さ（下端部１１からの突起高さ）は、底面視右側の最も端に設けられたもう一方のスリット２１より中央寄りに設けられたスリット２１に適合する係合片１２の高さより高いことが好ましい。装飾部材２０を下端部１１に取り付ける際、装飾部材２０の端部２３に近く高さの高い係合片１２の方から、高さの低い係合片１２の方へ順次嵌合させていくことで、不用意に篏合が外れることを防止できるため装飾部材２０を下端部１１に容易に取り付けることでき、製造上の作業性を向上させることができる。
【００３６】
図１１（Ｂ）は、フード部１０の係合片１２および係合爪１３に装飾部材２０のスリット２１をすべて差し込んで嵌合した状態を示す。この状態では、図１２（Ａ）に示すように、係合片１２および係合爪１３は、スリット２１に嵌合のみしている状態であり、係合爪１３の爪部１３１は、装飾部材２０を内面に掛り合っていない。また、点線で示したように、装飾部材２０の直線形ＳＴを有する端部２３は、下端部１１とは底面視左右方向にずれた位置にあり、回り止め係合部１４と回り止め被係合部２２は嵌合していない。また、装飾部材２０の端部２３は、下端部１１とは底面視上下方向にもずれた位置にある。すなわち、左側の装飾部材２０の端部２３は下側（背面板１８側）にずれており、右側の装飾部材２０の端部２３は上側（正面側）にずれている。
【００３７】
この状態から、図１１（Ｂ）および図１２（Ｂ）に示した矢印の方向へ、係合爪１３の爪部１３１が装飾部材２０の内面に掛り合うように装飾部材２０を摺動させる。そうすると、図１１（Ｃ）に示すように左右の装飾部材２０の端部２３は両方とも背面板１８の位置に一致すると共に、図１２（Ｂ）に示すように爪部１３１が装飾部材２０の内面に掛り合うことで、装飾部材２０が底面視手前側（設置した場合の鉛直下方向）へ抜けなくなる。一方、この状態においても、図１１（Ｃ）に点線で示すように、装飾部材２０の直線形ＳＴを有する端部２３は、下端部１１とは底面視左右方向にずれた位置にある。係合片１２が嵌合するスリット２１のスリット長さは、矩形の係合片１２の長さより、この摺動させる分だけ長く、また、係合爪１３が嵌合するスリット２１のスリット長さは、係合爪１３の根元（爪部１３１以外の部分）の長さより、この摺動させる分だけ長い。
【００３８】
この状態から、図１１（Ｃ）の矢印で示すように、装飾部材２０の端部２３を一旦持ち上げて、回り止め係合部１４に回り止め被係合部２２を差し込み、嵌める。そうすると、図１１（Ｄ）に示すように、フード部１０の下端部１１に装飾部材２０を取り付けた状態となる。このように装飾部材２０をフード部１０に取り付けることで、すなわち、係合爪１３をスリット２１に嵌め、装飾部材２０の内面に掛り合うように装飾部材２０を摺動させて、装飾部材２０の端部２３を持ち上げて、最も端に設けられた回り止め係合部１４を回り止め被係合部２２に嵌めることで、装飾部材２０が下端部１１からはみ出すことなく、パイプ状の装飾部材２０をフード部１０の下端部１１に摩擦少なく容易に取り付けることでき、製造上の作業性を向上させると共に、取り付けた後は装飾部材２０が下端部１１に対してずれ動くことがなく、装飾部材２０が脱落し難いレンジフード１００の製造方法を提供することができる。
【００３９】
また、図１１（Ｄ）に示す状態にすることは、図１３（Ａ）が示すように、図１１（Ｃ）に示した、装飾部材２０の端部２３を一旦持ち上げて、回り止め係合部１４に回り止め被係合部２２を差し込もうとしている状態から、図１３（Ｂ）が示すように、図１１（Ｄ）に示した回り止め係合部１４に回り止め被係合部２２を差し込んだ状態になったことを言う。そして、図１３（Ｃ）および（Ｄ）に示すように、回り止め係合部１４を回り止め被係合部２２に嵌めた後、装飾部材２０の内側から回り止め係合部１４の先端部１４１を折り曲げることが好ましい。このように、回り止め係合部１４を回り止め被係合部２２に嵌めた後、装飾部材２０の内側から回り止め係合部１４の先端部１４１を折り曲げることで、装飾部材２０が抜け落ちにくくなり、ねじ止めやリベット等をする必要がないため、意匠性が良く、かつ安価に抜け止めをすることができる。
【００４０】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００４１】
１００  レンジフード
１０    フード部
１１    下端部
１１１  上端部
１２    係合片
１３    係合爪
１３１  爪部
１４    回り止め係合部
１４１  先端部
１５    両端部
１６    開口部
１７    フード部湾曲部（第２湾曲部）
１８    背面板
１９    取付金具
２０    装飾部材
２１    スリット
２２    回り止め被係合部
２３    装飾部材の端部
３０    ダクトカバー
３１    繋ぎ目
３２    ダクトカバー湾曲部（第１湾曲部）
４０    ファンケース
４１    ファン
４２    ファンモータ
４３    ダクト接続部
４４    風路
４５    開口
５０    内面パネル
５１    整流板
５２    スイッチ
６０    帯部
６１    帯部の端部
６２    帯部の中央部
６３    取付部
６３１  背面取付部
６４    帯部の上端
６５    帯部の下端
ＤＵ    ダクト
ＳＬ    直線形
ＣＬ    円弧形
Ａ１    第１角度
Ａ２    第２角度
Ｌ１    第１交線
Ｌ２    第２交線
ＷＥ    端部の幅
ＷＣ    中央部の幅
【図１】
2018035998.tif 000003
【図２】
2018035998.tif 000004
【図３】
2018035998.tif 000005
【図４】
2018035998.tif 000006
【図５】
2018035998.tif 000007
【図６】
2018035998.tif 000008
【図７】
2018035998.tif 000009
【図８】
2018035998.tif 000010
【図９】
2018035998.tif 000011
【図１０】
2018035998.tif 000012
【図１１】
2018035998.tif 000013
【図１２】
2018035998.tif 000014
【図１３】
2018035998.tif 000015